Podtech/llm-jp-corpus-v4-ja_patent huggingface dataset:
(57)【要約】      （修正有）【課題】必要な時に素早く取り出して使用することができるカード型ディスプレイクリーナーを提供する。【解決手段】カード型ディスプレイクリーナー１は、扁平で矩形の薄板に形成されてなり、手の平に収まる大きさである基板２と、基板の表面全体に形成されてなり、繊維質によって構成されてなる拭取り層３とを備える。【選択図】図１
0003202021.tif 000002
【実用新案登録請求の範囲】
【請求項１】
扁平で矩形の薄板に形成されてなり、手の平に収まる大きさである基板と、
前記基板の表面全体に形成されてなり、繊維質によって構成されてなる拭取り層とを備える
ことを特徴とするカード型ディスプレイクリーナー。
【考案の詳細な説明】
【技術分野】
【０００１】
本考案は、携帯情報端末等に設けられたディスプレイ用のクリーナーに関する。
【背景技術】
【０００２】
携帯情報端末に設けられたディスプレイは、近年のタッチパネル化によって直接ディスプレイ表面を指で触れて操作するため、ディスプレイの表面に付着した皮脂を拭き取るために従来において柔らかな布体が用いられていた。
【考案の概要】
【考案が解決しようとする課題】
【０００３】
しかし、柔らかな布体は軽くて持ち運びが容易であるものの、形状が定まらず、鞄やポケットの中に収納していても収納空間の隅に固まってしまうか、他の荷物の隙間に入り込むなどにより、必要な時に素早く取り出して使用できないという問題があった。
【課題を解決するための手段】
【０００４】
そこで、上記課題を解決するための手段として本考案に係るカード型ディスプレイクリーナーは、扁平で矩形の薄板に形成されてなり、手の平に収まる大きさである基板と、前記基板の表面全体に形成されてなり、繊維質によって構成されてなる拭取り層とを備えることを特徴とする。
【０００５】
基板の材質は、剛性を備えた素材であることが望ましく、例えば、塩化ビニル樹脂、ＰＥＴ樹脂を用いてなることが好ましい。また、厚紙、木材を用いることもできる。
【０００６】
縦辺長さが８５．０ｍｍ〜８６．０ｍｍ、横辺長さが５３．０ｍｍ〜５８．０ｍｍ、厚さが０．５ｍｍ〜１．０ｍｍであることが好ましく、より好ましくはＩＳＯ／ＩＥＣ７８１０規格に従った大きさであることが好ましい。このような大きさであることにより、本考案に係るカード型ディスプレイクリーナーを携帯型情報端末用のケースに設けられたカード用ポケットに収納することができ、携帯型情報端末のディスプレイの汚れを拭き取ろうと思った時に即座に取り出すことができるからである。
【０００７】
拭取り層は、極細の樹脂繊維によって構成されてなることが好ましく、具体的にはナイロン、もしくはポリエステルからなる繊維断面の直径が８μｍ以下のマイクロファイバーによって構成されてなることが好ましい。マイクロファイバーによって構成されることによって、ディスプレイ表面に付着した皮脂をかき取ることができるからである。なお、拭取り層は、基板に接着剤によって貼り付けられてなることが好ましい。
【考案の効果】
【０００８】
本考案によれば、基板を備えることで、カード型ディスプレイクリーナーを携帯情報端末用のケースに設けられたカード用ポケットにスムーズに収納することができ、携帯型情報端末のディスプレイの汚れを拭き取ろうと思った時に即座に取り出すことができるなど、操作性の高いディスプレイ用クリーナーを実現することができる。
【０００９】
また、本考案によればディスプレイを拭取り層の表面全体を用いて拭取ることができるため、拭取り操作を短時間で完了させることができる。
【図面の簡単な説明】
【００１０】
【図１】カード型ディスプレイクリーナー１の正面斜視図である。
【図２】カード型ディスプレイクリーナー１の一部についてＡ−Ａ方向に対する拡大縦断面図の中央部分を一部省略した図である。
【図３】カード型ディスプレイクリーナー１を携帯型情報端末用ケース４のカードポケット５に収納する様子を示す概略図である。
【考案を実施するための形態】
【００１１】
以下、本考案に係る実施の形態を、図を参照しながら詳しく説明する。
【００１２】
図１は、カード型ディスプレイクリーナー１の正面斜視図である。カード型ディスプレイクリーナー１は正面視長方形のカード型であり、縦辺長さが８５．０ｍｍ〜８６．０ｍｍ、横辺長さが５３．０ｍｍ〜５８．０ｍｍ、厚さが０．５ｍｍ〜１．０ｍｍの手に収まる大きさに形成されてなる。
【００１３】
図２は、カード型ディスプレイクリーナー１の一部についてＡ−Ａ方向に対する拡大縦断面図の中央部分の一部を省略した図である。カード型ディスプレイクリーナー１は、基板２の表面に拭取り層３が接着剤によって貼り付けられてなる。本実施の形態において基板２は硬質の塩化ビニル樹脂によって構成されてなり、拭取り層３はポリエステルからなるマイクロファイバーによって構成されてなる。
【００１４】
図３は、カード型ディスプレイクリーナー１を携帯型情報端末用ケース４のカードポケット５に収納する様子を示す概略図である。使用者が正面から見て左右見開き型の携帯型情報端末用ケース４には、右片部に携帯型情報端末６が貼付けられて固定されている。一方、携帯型情報端末用ケース４の左片部には複数のカードポケット５が縦方向に並べて設けられてなる。
【００１５】
図３には、前記複数のカードポケット５のうち、最も下側のポケットに収納された状態のカード型ディスプレイクリーナー１が破線で示されている。カード型ディスプレイクリーナー１は基板２を備えるので、カードポケット５にスムーズに収納することができる。これにより、携帯型情報端末６の使用中にもカード型ディスプレイクリーナー１をすぐ手の届く場所に留めておくことができる。このため、携帯型情報端末６のディスプレイ７の汚れを拭き取ろうと思った時に即座にカード型ディスプレイクリーナー１を取り出して使用することができ、操作性に優れる。
【００１６】
また、基板２は硬質の樹脂基板であることにより、拭取り層３の表面全体を均一にディスプレイ７の表面に押し当てて汚れを拭取ることができるため、拭取り操作を短時間で完了させることができる。
【００１７】
さらに、カード型ディスプレイクリーナー１はストラップのように携帯型情報端末６に紐状体等で繋がれていないため、前記紐状体等の取り回しを気にすることなく快適に拭取り操作を行うことができる。
【符号の説明】
【００１８】
１  カード型ディスプレイクリーナー
２  基板
３  拭取り層
【図１】
0003202021.tif 000003
【図２】
0003202021.tif 000004
【図３】
0003202021.tif 000005
(57)【要約】      （修正有）【課題】米と水を同時にリモートコントロール・スマート一体化電気炊飯器に送り込み、迅速かつ効率的な米と水の搬送・洗米装置を提供する。【解決手段】新規な米と水の搬送・洗米装置において、重量センサ３で米箱１の米の量を量ることによって洗米装置４に送り込む米の量を制御し、給水配管６から注入する高圧水で予め洗米装置４に送り込まれた米を洗浄してかつリモートコントロール・スマート一体化電気炊飯器に送り込む。【選択図】図１
0003202079.tif 000002
【実用新案登録請求の範囲】
【請求項１】
重量センサにより米箱における米の量を測定する装置によって送り込んだ米の量を制御し、給水配管から注入される高圧水により予め洗米装置に送り込まれた米を洗浄してかつリモートコントロール・スマート一体化電気炊飯器に送り込まれることを特徴とする新規な米と水の搬送・洗米装置。
【考案の詳細な説明】
【技術分野】
【０００１】
本考案は米と水の搬送・洗米装置に関し、特に、リモートコントロール・スマート一体化電気炊飯器に米と水を加える搬送・洗米装置に関する。
【背景技術】
【０００２】
中国特許第CN2740097Y号公報に記載された撹拌洗米構造は、米を細かくしてしまう可能性があり、更に固着という現象が起きる可能性がある。
中国特許第CN201984312U号公報の発明には信頼性の高い洗米装置が開示されていない。
本考案はリモートコントロール・スマート一体化電気炊飯器の一部として、米を洗ってかつ米と水を同時にリモートコントロール・スマート一体化電気炊飯器に送り込むという課題を解決し、摩耗、損失せず、迅速かつ効率的である。
【考案の概要】
【考案が解決しようとする課題】
【０００３】
本考案は米を洗ってかつ米と水を同時にリモートコントロール・スマート一体化電気炊飯器に送り込むという課題を解決しようとする。米は米箱からバルブを通過して洗米装置に入り、米の量が重量センサの米箱における米の量を測定する装置によって制御され、給水配管から注入する高圧水を利用し、米と水を同時にリモートコントロール・スマート一体化電気炊飯器に送り込む。
【考案の効果】
【０００４】
本装置は効率的に米と水を同時にリモートコントロール・スマート一体化電気炊飯器に送り込み、摩耗、損失せず、迅速かつ効率的である。
【図面の簡単な説明】
【０００５】
【図１】図１は本考案の組立図である。
【考案を実施するための形態】
【０００６】
図１に示すように、バルブ2は洗米装置4、米箱１とネジによって接続し、洗米装置4の両端それぞれには給水配管６と出水配管7が接続され、重量センサ３がホルダ５に固定される。ワンチップマイクロコンピュータにより重量センサ３が制御され、米が米箱１によってバルブ2を通過して洗米装置4に入り、給水配管６から注入される高圧水を利用し、出水配管7から米と水を同時にリモートコントロール・スマート一体化電気炊飯器に送り込む。
【図１】
0003202079.tif 000003
【手続補正書】
【提出日】平成27年11月4日(2015.11.4)
【手続補正１】
【補正対象書類名】実用新案登録請求の範囲
【補正対象項目名】全文
【補正方法】変更
【補正の内容】
【実用新案登録請求の範囲】
【請求項１】
米と水の搬送・洗米装置において、
バルブ（２）は洗米装置（４）、米箱（１）と接続し、洗米装置（4）の両端それぞれには給水配管（６）と出水配管（7）が接続され、重量センサ（３）がホルダ（５）に固定され、
ワンチップマイクロコンピュータにより重量センサ（３）が制御され、
重量センサにより米箱における米の量を測定する装置によって送り込んだ米の量を制御し、米が米箱（１）によってバルブ（２）を通過して洗米装置（４）に入り、給水配管（６）から注入される高圧水を利用し、出水配管（7）から米と水をリモートコントロール・スマート一体化電気炊飯器に送り込むことを特徴とする米と水の搬送・洗米装置。
(57)【要約】      （修正有）【課題】床材を押圧し圧着エアー抜き施工する際の膝や腰への労働的負担を軽減し、且つ、施工時間を短縮する金属の床材エアー抜き圧着工具を提供する。【解決手段】床面に床材の上面を押圧し圧着エアー抜きし床材を貼る金属の床材エアー抜き圧着工具において、所定の長さとした柄の部分に移動と取外し可能なネジ留めのハンドル２を配置し、柄の先端部の押圧、圧着エアー抜き用の金属の板３で床材を傷付けないように、先端部に取付ける素材を取替え可能なように金属の板３をネジ５で取付け取外し可能なようにし、床面に対し３０〜５０度の角度で外側に曲げることで床材を押圧した時にエアー抜きがスムーズにできる。また、柄の先端部の押圧、圧着エアー抜き用の金属の板３を取外して持ち運べるようにしている。【選択図】図１
0003202041.tif 000002
【実用新案登録請求の範囲】
【請求項１】
床面に床材の上面を押圧してエアー抜きし床材を貼る金属の床材圧着工具において、所定の長さとした柄に移動と取外し可能なネジ留めのハンドルを配置し、柄の先端部を床面に対し３０〜５０度の角度で外側に曲げ床材を押圧し、エアー抜き可能な金属の板の圧着部を設けたことを特徴とする金属の床材エアー抜き圧着工具。
【請求項２】
柄の先端部の押圧エアー抜き用の金属の板で床材を傷付けないように、先端の素材を取替え可能なように金属の板とネジで取付け取外し可能なことを特徴とする請求項１に記載の金属の床材エアー抜き圧着工具。
【請求項３】
所定の長さとした柄と柄の先端部に設けた金属の押圧エアー抜き板を取外して持ち運び可能であることを特徴とする請求項１又は２に記載の金属の床材エアー抜き圧着工具。
【考案の詳細な説明】
【技術分野】
【０００１】
本考案は、建築分野におけるビルディング・マンション・住宅等の床面に貼る床材を押圧し圧着エアー抜きする際に使用者が、先端に着ける素材を替えて使用する工具に関するものである。
【背景技術】
【０００２】
床材を押圧し圧着エアー抜き施工する際に使用者が、床に膝を着きエアー抜き棒や刷毛などでエアーを抜いて圧着していた。
【考案の概要】
【考案が解決しようとする課題】
【０００３】
床材を押圧し圧着エアー抜き施工での膝や腰への労働的負担は大きく、また、施工時間も長く掛かる。従って、立ち上がった状態での床材の押圧、圧着エアー抜き施工を可能としたことにより、前述の労働的負担、また、施工時間の短縮と短時間での広範囲の施工を容易にし、施工する床材も傷付けることなく、且つ、移動時の持ち運びについても少スペースとするものである。
【課題を解決するための手段】
【０００４】
本考案は、床面に床材の上面を押圧し圧着エアー抜きし床材を貼る金属の床材エアー抜き圧着工具において、所定の長さとした柄の部分に移動と取外し可能なネジ留めのハンドルを配置し、柄の先端部の押圧、圧着エアー抜き用の金属の板で床材を傷付けないように、先端部に取付ける素材を取替え可能なように金属の板とネジで取付け取外し可能なようにし、且つ、柄の先端部の押圧、圧着エアー抜き用の金属の板を取外して持ち運べるようにすることにより問題を解決している。
【考案の効果】
【０００５】
上述の様に、本考案の先端の素材を取替え可能とした金属を用いた床材エアー抜き圧着工具は膝を着かずに立って施工することにより、膝や腰への労働的負担を軽減し施工時間の短縮と短時間での広範囲の押圧、圧着エアー抜き施工を容易にできるようになる。
【図面の簡単な説明】
【０００６】
【図１】本考案の先端の素材を取替え可能とした金属を用いた押圧、床材エアー抜き圧着工具の全体正面図
【図２】同上の押圧、床材エアー抜き圧着工具の全体側面図
【図３】同上の押圧、圧着エアー抜き部分の正面図
【図４】同上の押圧、圧着エアー抜き部分の側面図
【図５】同上のハンドルを備えた取っ手部分の側面図
【考案を実施するための形態】
【０００７】
本体の柄にハンドルを備えた取っ手は柄の部分を上下にスライドし、使用者に合わせて柄のどの部分にでもネジにて固定可能となる。また、先端部の押圧してエアー抜きする金属の板は、素材を装着し金属の留め具とネジにて固定することで素材が外れることが無くなり、且つ、容易に取替え可能となる。更に、床面に対し３０〜５０度の角度で外側に曲げることで床材を押圧した時にエアー抜きがスムーズにできる。
【実施例】
【０００８】
以下、本考案を実施例にもとづいて説明する。図１〜図５は、本考案の１実施例である。金属を用いた床材エアー抜き圧着工具図１の１は、先端の素材を取替え可能とした外側へ曲げた斜め状の金属の板図３の３と、図５の２のハンドルを備えた取っ手及び図１の４の金属の支持板で構成されている。
【０００９】
上記圧着工具本体図１の１の先端には図３の金属でできた押圧、圧着用の板３に素材を挟み込む金属３aとネジ留め３bを有している。
【００１０】
上記圧着工具本体図１の１には図５の２aのハンドルを備えた取っ手を図１の１の柄に挟みこんで上下に移動可能とし、使用者に合わせて１の柄のどの部分にでも２bネジにて固定可能としている。
【００１１】
上記圧着工具本体図１の１には４の金属でできた支持部を１の柄に４aのネジで固定、３の押圧、圧着用の金属の板に４bのネジで固定できる。
【００１２】
上記圧着工具本体図１の１は柄と押圧、圧着用の金属の板を留めているネジ５と座板５a、両側の支持板４を留めているネジ４aと４bを外すことで、柄と３の押圧、圧着用の金属の板とを脱着できる構造とし、車載移動時にかさばらないですむ。
【符号の説明】
【００１３】
１    金属を用いた床材エアー抜き圧着工具本体
２    ハンドルを備えた取っ手
３    押圧、圧着エアー抜き用の金属板
４    支持板
５    留めネジ
【図１】
0003202041.tif 000003
【図２】
0003202041.tif 000004
【図３】
0003202041.tif 000005
【図４】
0003202041.tif 000006
【図５】
0003202041.tif 000007
(57)【要約】      （修正有）【課題】着用物の形状記憶合金サポート部材を提供する。【解決手段】着用物の形状記憶合金サポート部材３は、ニチノール線体を巻き付け且つプレスして扁平にした細長片体３０で、使用の必要に応じて、着用物の作用区内に埋設する。形状記憶合金サポート部材３のサポートを利用し、着用物が受力作用を受けても、形状記憶合金サポート部材により湾曲変形や断裂を生じないサポートにおいて、弾性サポートにより、着用物は元の形状を回復する。【選択図】図３
0003202046.tif 000002
【実用新案登録請求の範囲】
【請求項１】
着用物の形状記憶合金サポート部材であって、ニチノール線体を巻き付け且つプレスして扁平にした細長片体で、使用の必要に応じて、着用物の作用区内に埋設し、
前記形状記憶合金サポート部材のサポートを利用し、着用物は受力作用を受けても、前記形状記憶合金サポート部材の変形や断裂を生じないサポートにおいて、弾性サポートにより、前記着用物は元の形状を回復することを特徴とする着用物の形状記憶合金サポート部材。
【請求項２】
前記の細長片体両端の端部には、保護キャップをそれぞれ設置することを特徴とする請求項１に記載の着用物の形状記憶合金サポート部材。
【請求項３】
前記着用物の形状記憶合金サポート部材は、扁平細長片体であることを特徴とする請求項１に記載の着用物の形状記憶合金サポート部材。
【考案の詳細な説明】
【技術分野】
【０００１】
本考案は着用物の形状記憶合金サポート部材に関し、特に医療、女性用下着、コルセット、ウエストベルト、膝保護用サポーター、腕保護用サポーター等着用物に適用される形状記憶合金サポート部材で、着用物が受力作用を受けても、形状記憶合金サポート部材により湾曲変形や断裂を生じないサポートにおいて、弾性サポートにより、着用物は元の形状を回復する着用物の形状記憶合金サポート部材に関する。
【背景技術】
【０００２】
図１、図２に示す通り、一般的な着用物は、ブラジャー１１、コルセット１２、ガードル１３などである。これら痩身や体型調整を謳う着用物は、その着用後の形状を維持するため、通常は重要な受力部位に、若干の作用区１１１、１２１、１３１を予め設置する。作用区１１１、１２１、１３１内には、少なくとも一個のサポート部材２（或いはサポート片）を埋設する。サポート部材２は、スチールリム（ブラジャー１１に使用）、スチール片或いはスチールストライプ（コルセット１２、ガードル１３に使用）を採用する。これらサポート部材２（或いはサポート片）はしばしば膝保護用サポーター、腕保護用サポーター等の医療保健分野にも使用されている。
【０００３】
上述のように、着用物に用いるサポート部材２（或いはサポート片）は、適度なサポート鋼性を備えるため、未受力の状況においては、着用物は、一定の形状を維持する。しかし、極端に激しい捩れ、或いは湾曲姿勢で使用するなど受力が大き過ぎれば、また長く使用した後に生じる弾性疲労等が原因で、サポート部材２（或いはサポート片）には、変形或いは断裂が非常に発生し易い。これにより、着用物の継続使用もできなくなってしまう。
【考案の概要】
【考案が解決しようとする課題】
【０００４】
本考案の目的は、着用物が受力作用を受けても、形状記憶合金サポート部材により湾曲変形や断裂を生じないサポートにおいて、弾性サポートにより、着用物は元の形状を回復する着用物の形状記憶合金サポート部材に関する。
【課題を解決するための手段】
【０００５】
上述の目的を達成するため、本考案による着用物の形状記憶合金サポート部材は、ニチノール線体を巻き付け且つプレスして扁平にした細長片体で、使用の必要に応じて、着用物の作用区内に埋設する。
これにより、該形状記憶合金サポート部材のサポートを利用し、着用物が受力作用を受けても、形状記憶合金サポート部材により湾曲変形や断裂を生じないサポートにおいて、弾性サポートにより、着用物は元の形状を回復する。
【０００６】
本考案による着用物の形状記憶合金サポート部材において、該細長片体両端の端部には、保護キャップをそれぞれ設置する。
【０００７】
本考案による着用物の形状記憶合金サポート部材は、扁平細長片体である。
【考案の効果】
【０００８】
本考案の着用物の形状記憶合金サポート部材は、ニチノール線体を巻き付け且つプレスして扁平にした細長片体で、形状記憶合金サポート部材は、軽量で弾性に富み、湾曲変形や断裂を生じない特性を備えるため、着用物は元の形状を回復し、従来の構造に存在していた欠点を解決することができる。
【図面の簡単な説明】
【０００９】
【図１】従来の着用物にサポート部材を配置する様子を示す模式図（一）である。
【図２】従来の着用物にサポート部材を配置する様子を示す模式図（二）である。
【図３】本考案の立体模式図である。
【図４】本考案の一実施形態の局部模式図である。
【考案を実施するための形態】
【００１０】
図３、図４に示す通り、本考案の着用物４の形状記憶合金サポート部材３は、ニチノール線体を巻き付け且つプレスして扁平にした細長片体３０で、使用の必要に応じて、着用物４の作用区４１内に埋設する。これにより、形状記憶合金サポート部材３のサポートを利用し、着用物は受力作用を受けても、形状記憶合金サポート部材３の変形や断裂を生じないサポートにおいて、弾性サポートにより、着用物４は元の形状を回復する。
【００１１】
本考案の形状記憶合金サポート部材３の細長片体３０両端の端部３１には、保護キャップ３２をそれぞれ設置する。
【００１２】
本考案の形状記憶合金サポート部材３は、扁平細長片体である。
【００１３】
上記を総合すると、本考案の着用物の形状記憶合金サポート部材は、ニチノール線体を巻き付け且つプレスして扁平にした細長片体で、形状記憶合金サポート部材は、軽量で弾性に富み、湾曲変形や断裂を生じない特性を備えるため、その弾性サポートにより、着用物は元の形状を回復し、従来の構造に存在していた欠点を解決することができる。
【００１４】
本考案は確実に予期された作用効果と目的を達成し、並びにこの技術に習熟した者がこれをもとに実施できるほどに詳細に説明されたが、以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００１５】
１１  内衣
１２  コルセット
１３  ガードル
１１１、１２１、１３１  作用区
２  サポート部材
３  形状記憶合金サポート部材
３０  細長片体
３１  端部
３２  保護キャップ
４  着用物
４１  作用区
【図１】
0003202046.tif 000003
【図２】
0003202046.tif 000004
【図３】
0003202046.tif 000005
【図４】
0003202046.tif 000006
(57)【要約】      （修正有）【課題】暖房に使用する天井付近に設置する空気調和機の吸い込み口に取り付け、低層の空気を効果的に暖める空気ダクト装置を提供する。【解決手段】天井付近に設置された空気調和機１の吸込口２と同様な形状に合わせた形状で空気調和機１の吸込口２にダクト取付け部６を取り付け、室内床付近の低層空気を吸い込む、ダクト吸込口７を具備した。【選択図】図１
0003202093.tif 000002
【実用新案登録請求の範囲】
【請求項１】
天井付近に設置する空気調和機の吸込口に取り付けて、室内床付近の低層空気を吸い込む空気ダクト装置。
【考案の詳細な説明】
【技術分野】
【０００１】  本考案は、暖房に使用する天井付近に設置する空気調和機の吸い込み口に取り付ける空気ダクト装置に関するものである。
【背景技術】
【０００２】  冬場の暖房を行うため、天井付近に設置する空気調和機により、天井付近の空気を吸込み、その周りに暖められた空気を吹き出すように施してある。
【考案の概要】
【考案が解決しようとする課題】
【０００３】  空気調和機により暖められた吹き出し空気は、低層の冷気と比べて比重が軽く、低層まで届きにくいことから、床上付近の低層の空気が暖められにくい。低層まで届かせるには必要な強さまで空気調和機の吹出風速を上げる必要がある。【０００４】  別途設置するサーキュレータで部屋全体の空気を撹拌することは可能であるが効率的でない。【０００５】  建築物に装備されたダクトにより、部屋の低層の空気を吸込み、天井付近に取り付けられた空気調和機に送り、空気調和機により暖められた空気を吹き出すことは、以前行われていたが、空気ダクト等の設備工事費やスペースを必要とする。
【課題を解決するための手段】
【０００６】  冬場の暖房時、天井付近に設置する空気調和機の吸込口に床付近まで届く空気ダクト装置を取り付け、低層の空気を天井付近に設置する空気調和機が吸い込むことにより、部屋全体の空気の循環を起こし低層の空気を効率的に暖めるもの。
【考案の効果】
【０００７】  低層の空気を直接空気調和機が吸い込むことによって部屋全体の空気の循環を起こすことができ、効率的に低層の空気を暖めることができる。
【図面の簡単な説明】
【０００８】
【図１】天井付近に設置する空気調和機の吸込口へ取り付けた本装置
【考案を実施するための形態】
【０００９】  空気調和機の吸込口の形状と同様な形状に合わせた形状で、空気調和機の吸込口に取付け固定する取付け部とそこから床付近までつながるダクト、そして床付近のダクトを固定する固定装置。
【産業上の利用可能性】
【００１０】  現在、多数設置されている天井埋込型空気調和機等もそのままで、本ダクト装置を追加するだけで効率的に冬場の暖房が行える。
【符号の説明】
【００１１】  １  天井付近に設置する空気調和機
２  吸込口
３  吹出口
４  ファン
５  本ダクト装置
６  ダクト取付け部
７  ダクト吸込口
８  吸込み口固定装置
【図１】
0003202093.tif 000003
【手続補正書】
【提出日】平成27年10月11日(2015.10.11)
【手続補正１】
【補正対象書類名】実用新案登録請求の範囲
【補正対象項目名】全文
【補正方法】変更
【補正の内容】
【実用新案登録請求の範囲】
【請求項１】
天井付近に設置された空気調和機の吸込口（２）と同様な形状に合わせた形状で空気調和機の吸込口に取付け固定するダクト取付け部（６）により空気調和機の吸込口に取り付け、室内床付近の低層空気を吸い込む、ダクト吸込口（７）を具備した空気ダクト装置。
(57)【要約】      （修正有）【課題】植物栽培での灌水における時間の省力化と、節水が可能な器具及び容器を提供する。【解決手段】栽培容器１と同じ形状の収納溝を複数備え、収納溝と収納溝の隙間を蓋で連結する。または、栽培容器を収容出来る形状を備え、上端部に向かってわずかな傾斜を持つ大きめな鍔を設ける。隙間に入った水が栽培容器に集まりやすくなる。【選択図】図２
0003202092.tif 000002
【実用新案登録請求の範囲】
【請求項１】
植物を容器に植え成長し、スペーシング（間隔を広げる）した時に出来る容器の隙間を、蓋す事により上部からの灌水が、効率よく栽培容器に集まる器具。
【請求項２】
植物を容器に植え成長し、スペーシング（間隔を広げる）した時に出来る容器の隙間を、受けるようにし上部からの灌水が、効率よく栽培容器に集まる容器。
【考案の詳細な説明】
【考案の詳細な説明】
【技術分野】
【０００１】  本発明は植物を栽培する為の、灌水における省力並びに節水の器具と容器。
【背景技術】
【０００２】  従来からの植物栽培では、スペーシングした植物には、一鉢づつ灌水し時間がかかったり、容器と容器の隙間から、水がを無駄に捨てていた。
【考案が解決しようとする課題】
【０００３】  上述した従来の方法では、灌水に時間がかかったり、水の無駄使いと言う欠点がある。
【課題を解決するための手段】
【０００４】  本考案は、植物栽培容器の隙間を蓋す事により、隙間に入った水が栽培容器に、集まりやすくする事を特徴とする。
【考案を実施するための形態】
【０００５】  次に、本考案について図面を参照して説明する。
【０００６】  第１図は、従来の技術で説明した事の側面図で、上部からの水は容器の隙間から下へ落ちてゆきます。
第２図は、問題を解決するための手段で説明した事の側面図で、容器の隙間に落ちた水は、蓋を伝って栽培容器に入ります。
第３図は、第２図で説明した事の上面図です。
第４図は、栽培容器に上からの水が入りやすくする為の容器の側面図です
第５図は、第４図で説明した事の上面図です。
【考案の効果】
【０００７】  以上説明したように、本考案では植物栽培で、灌水にかかる時間を省力化し、同時に水を節約出来る事が可能になる。
【図面の簡単な説明】
【図１】  本考案を考える上での、従来の栽培容器の配置の側面図です。
【図２】  本考案による器具が、栽培容器の隙間を蓋す事により、隙間に落ちた水が、栽培容器に入りやすくする事を説明した側面図です。
【図３】  第２図の説明の上面図です。
【図４】  本考案による容器が、栽培容器に水が入りやすくする事を、説明した側面図です。
【図５】  第４図の説明の上面図です。
【符号の説明】１  栽培容器
２  植物
３  培地
４  栽培容器の隙間を蓋し水が入りやすくする器具
５  栽培容器に水が入りやすくする容器
６  上部からの灌水
【図１】
0003202092.tif 000003
【図２】
0003202092.tif 000004
【図３】
0003202092.tif 000005
【図４】
0003202092.tif 000006
【図５】
0003202092.tif 000007
【手続補正書】
【提出日】平成27年10月22日(2015.10.22)
【手続補正１】
【補正対象書類名】実用新案登録請求の範囲
【補正対象項目名】全文
【補正方法】変更
【補正の内容】
【実用新案登録請求の範囲】
【請求項１】
栽培容器（１）の形状と同じ収納溝を複数備え、収納溝と収納溝の隙間を蓋（ふた）す様に連結させた、栽培容器（１）に水が入りやすくする器具（４）。
【請求項２】
栽培容器（１）を収容出来る形状を備え、上端部に向かってわずかな傾斜を持つ大きめな鍔（つば）を設けた、栽培容器に水が入りやすくする容器（５）。
(57)【要約】      （修正有）【課題】高齢者や障碍者、子供のなどが開封しやすいチャック袋を提供する。【解決手段】開口部３のチャック２ａ、２ｂの下部外側へ、袋素材を折り返し、チャック袋の左右持ち手とした。【選択図】図１
0003202096.tif 000002
【実用新案登録請求の範囲】
【請求項１】
製造時チャック部分の外側に材料を折り返し持ち手とした袋。
【考案の詳細な説明】
【技術分野】
【０００１】
生活用品
【背景技術】
【０００２】
従来のチャック袋は開封しにくい欠点があった、その欠点を持ち手を付けることにより開封しやすく改良した。
【考案の概要】
【考案が解決しようとする課題】
【０００３】
高齢者や指先に障碍のある人など、今までのチャック袋は開封しにくいものであった。
本考案は持ち手によって開封が大変簡便となった。
【課題を解決するための手段】
【０００４】
従来のチャック袋は開封口がつかみづらい為開けにくかった。
本考案はチャック部外側に持ち手部分を付けたため掴み易いものとなっている。
【考案の効果】
【０００５】
本考案は高齢者、障碍者、子供など誰でもが簡便にチャック袋を開封することが出来るようになった。
【図面の簡単な説明】
【０００６】
【図１】チャック袋断面図  左右に飛び出している部分が持ち手部分
【考案を実施するための形態】
【０００７】
本考案はチャック袋製造時に、チャック袋外側にチャック袋素材を折り返すことにより持ち手とする。
【産業上の利用可能性】
【０００８】
例えば食品包装資材に用いた場合、製袋時または食品充填時に同時圧着するため製造効率がいい
【符号の説明】
【０００９】
１a  固着部
１b  固着部
２a  チャック
２b  チャック
３   開口部
【図１】
0003202096.tif 000003
【手続補正書】
【提出日】平成27年11月12日(2015.11.12)
【手続補正１】
【補正対象書類名】実用新案登録請求の範囲
【補正対象項目名】全文
【補正方法】変更
【補正の内容】
【実用新案登録請求の範囲】
【請求項１】
袋素材を開口部のチャック下部外側へ、袋素材を折り返し持ち手とした袋。
(57)【要約】      （修正有）【課題】食事によって歯石を取り、体温の上昇を抑えることもできる、動物が食する物を冷凍するための容器を提供する。【解決手段】容器の底や側面に、三角柱の凹凸を付け、この容器に食べ物を入れ冷凍にし、歯の掛かりやすい形を形成する。【選択図】図３
0003202087.tif 000002
【実用新案登録請求の範囲】
【考案の詳細な説明】
【解決する課題】
【０００１】  食事によって付いた歯石を取る  体温の上昇を、抑える  体の負担を軽減する
【課題を解決する手段】
【０００２】  容器の底に三角柱の凹凸を付け冷凍する事で、歯が掛かりやすい状態にする。  この容器を使い冷凍にすることで、水分も取れ体温の上昇を抑える  容器に三角柱の凹凸をつける
【考案による効果】
【０００３】  動物病院などで、麻酔を使わず自然に歯石を取る事が出来る。  動物は、汗をかく事が効率よく出来ないので、冷凍にすることで体温の上昇を、抑える事が出来る  三角柱の凹凸を付けることで、噛んだ時に割れやすくできる  三角柱の凹凸の形状により歯の側面にあたり硬い歯石と接触することで、歯石が付きにくくなる。  日頃から手間をかけず歯の管理が出来きる
【図面の簡単な説明】
【図１】凹凸の図
【図２】凹凸の図  全体
【図３】凹凸の図  容器内
【図１】
0003202087.tif 000003
【図２】
0003202087.tif 000004
【図３】
0003202087.tif 000005
【手続補正書】
【提出日】平成27年7月1日(2015.7.1)
【手続補正１】
【補正対象書類名】実用新案登録請求の範囲
【補正対象項目名】全文
【補正方法】変更
【補正の内容】
【実用新案登録請求の範囲】
【請求項１】
長方形のパッケージの中に区切りを作り
更にその正方形の側面と底面に二等辺三角形の凸を施す。
【手続補正書】
【提出日】平成27年8月26日(2015.8.26)
【手続補正１】
【補正対象書類名】実用新案登録請求の範囲
【補正対象項目名】全文
【補正方法】変更
【補正の内容】
【実用新案登録請求の範囲】
【請求項１】
容器内部の底面と側面に三角柱の凸部を取り付けることで、凍ったフードの側面と底面に凹みができる。これにより歯が掛かりやすくなる、これを特徴とする容器。
【手続補正書】
【提出日】平成27年10月18日(2015.10.18)
【手続補正１】
【補正対象書類名】実用新案登録請求の範囲
【補正対象項目名】全文
【補正方法】変更
【補正の内容】
【実用新案登録請求の範囲】
【請求項１】
容器内部の底面と側面に三角柱の凸部を取り付けることで凍ったフードの側面と底面に凹みができるこれにより歯が掛かりやすくなるこれを特徴とする容器。
(57)【要約】      （修正有）【課題】眉毛または、まつ毛の白髪に顔料または、染料を塗る際に簡単で正確に且つ安全に作業が行えるようにする白髪かくしペンを提供する。【解決手段】細かい作業を得意とする毛抜きの内側上下に、脱着可能なインクカートリッジ付きのフェルトペンをつけた。【選択図】図１
0003202086.tif 000002
【実用新案登録請求の範囲】
【請求項１】
図１より、毛抜きに脱着可能なインクカートリッジ付きのフェルトペン（Ｂ）を内側上下につけた。（以後これを白髪かくしペンと呼ぶ）
【請求項２】
図２（Ｄ）より、白髪かくしペンの先端部を４５°程度傾ける事でインクの塗布部分を拡大させるとともに、白髪かくしペンを使用する際に腕を下した楽な体勢で作業できるようにした。
【請求項３】
図２、図３（Ｅ）より、白髪かくしペンが閉じた際には、上下のインクカートリッジ部分（Ｂ）を密着させる事によりフェルトペンの塗布部分を乾燥から守るようにした。
【請求項４】
図３（Ｆ）より、白髪かくしペンのインク塗布部分をより乾燥から守る為にキャップ（Ｆ）を設けた。
【考案の詳細な説明】
【背景技術】
【０００１】眉毛の白髪を頭髪用の毛染めで染めたり、マスカラ等でかくしていた。
【考案の概要】
【考案が解決しようとする課題】
【０００２】頭髪用の毛染めを眉毛、まつ毛に使うと目の周りの皮膚に炎症が起きる可能性があり危険である。また、眉毛にマスカラを使用する際に、まず、マスカラの使い方に慣れる必要がある。また、眉毛が重なって生えている為、部分的（１、２本）に塗る事は、難しく、そのうえ質感も変わってしまう為、眉毛全体を塗らなければならないという問題があった。
【課題を解決するための手段】
【０００３】図１のように、細かい作業がしやすい毛抜きの先端内側に、脱着可能なインクカートリッジ付きのフェルトペンを上下につけた。
【考案の効果】
【０００４】ピンポイントの細かい作業を得意とする毛抜きの特性をいかし、誰でも細かい作業を正確、且つ簡単に出来き、部分的（１、２本）に塗る事も可能である。また、ペン先が毛抜きの内側に付いているので、顔料または染料が直接に皮膚に触れる事が無く、安全に眉毛、まつ毛に色を塗る事が出来る。
【図面の簡単な説明】
【０００５】
【図１】毛抜きの内側の上下に脱着可能なインクカートリッジ付きのフェルトペンをつけた図である。（以後、これを白髪かくしペンと呼ぶ）
【図２】白髪かくしペンを上から見た全体図と横から見た全体図である。
【図３】白髪かくしペン全体図と、白髪かくしペン内側に付くフェルトペンのペン先の乾燥を防ぐ為のキャップの全体図である。
【符号の説明】
【０００６】図１より
Ａ、毛抜き部分
Ｂ、フェルトペンのインクカートリッジ部分
Ｃ、フェルトペンのインクの出る塗布部分
図２より
Ｄ，上から見た白髪かくしペンの全体図
Ｅ，横から見た白髪かくしペンの全体図
図３より
Ｆ，乾燥を防ぐ為のキャップの全体図
【図１】
0003202086.tif 000003
【図２】
0003202086.tif 000004
【図３】
0003202086.tif 000005
【手続補正書】
【提出日】平成27年7月7日(2015.7.7)
【手続補正１】
【補正対象書類名】実用新案登録請求の範囲
【補正対象項目名】全文
【補正方法】変更
【補正の内容】
【実用新案登録請求の範囲】
【請求項１】
毛抜きの形状、機能に色を塗る機能を持ったフェルトペンを組み合わせたモノであり、フェルトペン部分は、開閉する毛抜きの内側上下に二分割され、さらに毛抜きの内側の形状に沿った形を有する。また先端部のインク塗布部分も毛抜きの形状に沿った形を有する事を特徴とする白髪かくしペン。
【請求項２】
白髪かくしペンが閉じた状態では、先端にあるインク塗布部分を乾燥から守るため毛抜きの内側上下に二分割されたフエルトペン胴体部を密着させ、隙間を無くす事を特徴とする前記、請求項１記載の白髪隠しペン。
【請求項３】
さらにインク塗布部分を乾燥から守る為に白髪かくしペンの使用外には、上下を閉じた先端部の形状に密着するキャップを有する事を特徴とする前記、請求項１または、請求項２記載の白髪かくしペン。
【請求項４】
使用時は、毛抜きのように毛を挟み、毛の根本から先端へ滑らせて色を塗る訳だが、より使いやすくする為にインク塗布部分のある先端部を４５°傾かせた事を特徴とする白髪かくしペン。
【手続補正書】
【提出日】平成27年10月28日(2015.10.28)
【手続補正１】
【補正対象書類名】実用新案登録請求の範囲
【補正対象項目名】全文
【補正方法】変更
【補正の内容】
【実用新案登録請求の範囲】
【請求項１】
毛抜きの形状、機能に色を塗る機能を持ったフェルトペンを組み合わせたモノであり、フェルトペン部分は、開閉する毛抜きの内側上下に二分割され、さらに毛抜きの内側の形状に沿った形を有し、また先端部のインク塗布部分も毛抜きの形状に沿った形を有する事を特徴とする白髪かくしペン。
【請求項２】
白髪かくしペンが閉じた状態では、先端にあるインク塗布部分を乾燥から守るため毛抜きの内側上下に二分割されたフエルトペン胴体部を密着させ、隙間を無くす事を特徴とする前記、請求項１記載の白髪隠しペン。
【請求項３】
さらにインク塗布部分を乾燥から守る為に白髪かくしペンの使用外には、上下を閉じた先端部の形状に密着するキャップを有する事を特徴とする前記、請求項１または、請求項２記載の白髪かくしペン。
【請求項４】
毛抜きとフェルトペンを組み合わせたモノであるが、毛を挟み、毛の根本から先端へ滑らせて色を塗る事を目的とする為、毛抜きの毛を挟む部分内側にインク塗布部分を設け、使いやすくする為、毛抜きの先端部を４５°傾かせた事を特徴とする請求項１、請求項２記載の白髪かくしペン。
(57)【要約】【課題】レストランや喫茶店等でテーブルに空きがなく相席利用を誘導された時、互いの視線を遮るものが無く、客同士お互いにがリラックスして時間を過ごせないという問題があった。着脱自在とすることで、不使用時邪魔にならず、簡単に取り付け可能な衝立を提供すること。【解決手段】布状態の外周縁が環形状で変形可能なワイヤ２に取り付けられ下部に２つの帯びを持つ目隠し部１と、その下部がテーブル面に着脱可能に取り付けられる吸盤部４と、吸盤部４の上面に固定され上部に延びて、上面から下部に２つの帯びを持つ目隠し部１の端部が着脱自在に差し込み可能な取り付け部３と、を備える。【選択図】  図１
0003202335.tif 000002
【実用新案登録請求の範囲】
【請求項１】
布状態の外周縁が環形状で変形可能なワイヤーに取り付けられ、下部に２つの帯びを持つ目隠し部と、その下面がテーブル面に着脱可能に取り付けられる吸盤部と、吸盤部の上面に固定され、上方に延びて、上方から下部に２つの帯びを持つ目隠し部の端部が着脱自在に差し込み可能な取り付け部とを備える衝立。
【考案の詳細な説明】
【技術分野】
【０００１】
本考案は、衝立に関するものである。
【背景技術】
【０００２】
レストランや喫茶店等でテーブルに空きがなく相席利用を誘導された時、互いの視線を遮るものが無く、客同士お互いにがリラックスして時間を過ごせないという問題があった。    
そこで、特許文書１には、パネル材を取り付けたフレームにおける左右１対の側面フレームの下端部の対向面に、後向き凸状に折曲された可動脚体の両側端部を、回動可能かつ後方を向いて接床する使用状態と、側部フレームとほぼ平行をなして上下方向を向く不使用状態とに、選択的に固定しうるように取り付けるスタンドパネルが提案されている。
【先行技術文献】
【特許文献】
【０００３】
【特許文献１】特開２００８−０９３０７３号公報
【考案の概要】
【考案が解決しようとする課題】
【０００４】
しかしながら、特許文献１のスタンドパネルは、使用しない時に取り外すことが出来ないので、邪魔になる場合があった。また、そもそもスタンドパネルが取り付けられていない場合には、相席した客同士の互いの視線を遮ることが出来ない。  
【課題を解決するための手段】
【０００５】
本考案は、着脱自在とすることで、不使用時邪魔にならず、簡単に取り付け可能な衝立を提供することを目的とする。      
【考案の効果】
【０００６】
相席を誘導した時この衝立を立てることにより、客に対するサービス向上の一環となる。また、店側も、客数の増加が見込める。さらに、この衝立は小さく出来るので、保管場所に困ることはほとんどない。
【図面の簡単な説明】
【０００７】
【図１】本考案の実施例を示す衝立の使用図
【図２】本考案の実施例を示す目隠し部の図
【図３】本考案の実施例を示す吸盤の上部に固定される取り付け部の図
【図４】本考案の実施例を示す吸盤の図
【考案を実施するための形態】
【０００８】
本考案は、布状態の外周縁が環形状で変形可能なワイヤに取り付けられる目隠し部と、その下部がテーブル面に着脱可能に取り付けられる吸盤部と、吸盤部の上面に固定され上部に延びて、上面から目隠し部の端部が着脱自在に差し込み可能な取り付け部と、を備える衝立である。
【実施例】
【０００９】
添付図面に従って一実施例を説明する。レストラン、喫茶店等が混雑した時、入って来た客に相席テーブルを誘導する。客が相席に応じたら、この衝立を目の前に立てる。これにより、客は回りを気にせず、リラックスして時間を過ごせる。また、店側にしても相席利用を誘導しやすくなるので、利用客を増加させることが出来る。
【符号の説明】
【００１０】
１  目隠し部
２  ワイヤ
３  取り付け部
４  吸盤部
１０  衝立
【図１】
0003202335.tif 000003
【図２】
0003202335.tif 000004
【図３】
0003202335.tif 000005
【図４】
0003202335.tif 000006
(57)【要約】      （修正有）【課題】長時間の着物着用に伴い、通常体前部みぞおち周辺に結ぶ紐を後ろで結ぶように改良した着物用帯板を提供する。【解決手段】着物用帯板の帯板本体１の両脇上部に挿通孔２を開け、輪になった帯板紐３を取り付けることで、帯の上に帯板紐３を出し、後ろから来る紐を通し易くした。後ろへ引っ張る力が働いても、着物用帯板が帯より上に出てくることはない。【選択図】図１
0003202340.tif 000002
【実用新案登録請求の範囲】
【請求項１】
長時間の着物着用に伴い、通常体前部みぞおち周辺に結ぶ紐を後ろで結ぶための着物用帯板であって、
両脇上部に穴を開け、輪になった紐を取り付けたこと
を特徴とする着物用帯板。
【考案の詳細な説明】
【技術分野】
【０００１】
本考案は着物用の帯板に関する。
【背景技術】
【０００２】
従来の着物が、下記特許文献１に記載されている。
【先行技術文献】
【特許文献】
【０００３】
【特許文献１】特開２００５−２３４８８号公報
【考案の概要】
【考案が解決しようとする課題】
【０００４】
女性が着物を着るとき帯を固定する帯枕ひもなどは、前に持ってきてみぞおちで結ぶため苦しさ、窮屈さの原因になる。
【課題を解決するための手段】
【０００５】
考案の着物用帯板の両側上部に穴を開け、そこに輪になっている紐を取り付ける。
【考案の効果】
【０００６】
着物用帯板の両はしに本来胸元に来る紐を通し、後ろあるいは脇で結ぶことで一切苦しさがなく、より帯が体にフィットするので着くずれもしない。
【図面の簡単な説明】
【０００７】
【図１】（ａ）は、本考案に係る着物用帯板の正面図であり、（ｂ）は、本考案に係る着物用帯板に紐を取り付けたものの正面図である。
【図２】（ａ）は、本考案に係る着物用帯板を帯の中に入れ体の左から見た図であり、（ｂ）は、本考案に係る着物用帯板を体の上から見た状態を示した図である。
【図３】（ａ）は、本考案に係る着物用帯板の正面図であり、（ｂ）は、本考案に係る着物用帯板に紐を取り付けたものの正面図である。
【図４】（ａ）、および（ｂ）は、本考案に係る着物用帯板の着用方法について説明する図である。
【図５】（ａ）、および（ｂ）は、本考案に係る着物用帯板の着用方法について説明する図である。
【図６】（ａ）、（ｂ）、および（ｃ）は、本考案に係る着物用帯板の着用方法について説明する図である。
【図７】（ａ）、（ｂ）、および（ｃ）は、本考案に係る着物用帯板の着用方法について説明する図である。
【考案を実施するための形態】
【０００８】
本考案の着物用帯板を実施するための形態を、図面の実施例に基づいて説明する。
【実施例】
【０００９】
本考案の着物用帯板は、図１、図２、および図３に示すように、帯板本体１、挿通穴２、および帯板紐３から構成されている。帯板本体１の両脇上部に挿通穴２が開けられ、帯板紐３が取り付けられている。
【００１０】
次に、本考案の着物用帯板を着用する方法について、図面に基づいて説明する。図４（ａ）、および図４（ｂ）に示すように、着用者は、本考案の着物用帯板を着用する場合に、まずは、帯板本体１を着付け途中の帯４の中へ入れる。このとき、帯４の上に帯板紐３を出しておく。例えば、図５（ａ）、および図５（ｂ）に示すように、帯４の中へ着物用帯板がすっかり入っており、帯４の両脇上側より帯板本体１から出ている帯板紐３が出ている状態となる。
【００１１】
次に、図６（ａ）、図６（ｂ）、および図６（ｃ）に示すように、後ろより帯枕５をあてて、一方の帯枕紐６を一方の帯板紐３に通し、同様に反対側の帯枕紐６を帯板紐３に通す。
【００１２】
そして、図７（ａ）、図７（ｂ）、および図７（ｃ）に示すように、帯板紐３に通した帯枕紐６を後ろに折り返し、両側の帯板紐３に通した帯枕紐６を後ろで結ぶ。
【００１３】
この本実施形態のような着物用帯板であれば、後ろで帯枕５を結ぶことができるため、通常の着物着付けの折に、前に回す結び目が後ろに設けられることとなり、胸苦しさを緩和することができる。
【産業上の利用可能性】
【００１４】
着物の着付けの苦しさ緩和に大いに貢献する。長時間の着用に適する。着物離れ解消に役立つ。帯の中に入れた着物用帯板が後ろに引く力がかかり、より一層帯と体が密着し着くずれを防ぐ効果もある。
【符号の説明】
【００１５】
１…帯板本体、２…挿通穴、３…帯板紐、４…帯、５…帯枕、６…帯枕紐。
【図１】
0003202340.tif 000003
【図２】
0003202340.tif 000004
【図３】
0003202340.tif 000005
【図４】
0003202340.tif 000006
【図５】
0003202340.tif 000007
【図６】
0003202340.tif 000008
【図７】
0003202340.tif 000009
(57)【要約】      （修正有）【課題】吸入口方向から二次側排気方向にゴミが移動する際に水分のみを蓄積させる吸引力と体積の相乗効果のバランスにより、コンパクトに維持する事が出来、貯蔵タンクに保留して排水するバキューム器具を提供する。  【解決手段】本体と、本体に接続された吸引ホースと、吸引ホースの先端部に設けられた吸込部分吸引管とを、備えた掃除機であって、連なるように前記吸引ホースの先端部分と前記吸引管の後端部とを円筒形の水分分離筒状体（貯蔵タンク）の上端部に接続した。【選択図】図２
0003202303.tif 000002
【実用新案登録請求の範囲】
【請求項１】
本体と、この本体に接続された吸引ホースと、この吸引ホースの先端部に設けられた吸込部分吸引管とを、備えた掃除機であって、連なるように前記吸引ホースの先端部分と前記吸引管の後端部とを円筒形の水分分離筒状体の上端部に接続した、ことを特徴とするバキューム器具。
【考案の詳細な説明】
【技術分野】
【０００１】
掃除機などのバキューム器具に関するものである。
【背景技術】
【０００２】
従来の器具は、大きく使う機会が少なく掃除や管理が危うくなりがちである。
【先行技術文献】
【特許文献】
【０００３】
【特許文献１】特開２００５−１９２８３２号公報
【考案の概要】
【考案が解決しようとする課題】
【０００４】
家電掃除機の吸引ホースのジョイント部分に簡易的貯蔵タンクを取り付けこのタンク下部分に排水口を設けこの排水口の周りにねじ山を構成しこのねじ山にペットボトル取り付けることができるように構成し、気体と液体を分類し二次効果を生じ分類し移動しながら掃除と排水を同時にし、広い用途に利用可能で、かつ衛生的である。
【課題を解決するための手段】
【０００５】
吸引管から湾曲状のパイプを介して貯蔵タンク又は水分分離筒状体内に水分を取り入れて貯蔵し、空間の空気を吸引ホース側に排気し、微妙なほこりと、空気を排除する。貯蔵タンク上部に湾曲上の上部に三日月形の逆流防止弁設けパイプに膨らみ状に沿って微妙な密度の水分を除却して空気と水分を分離する。  
【考案の効果】
【０００６】
家庭内での掃除を手軽にし、床やジュウタン、従来のモップの拭き掃除に大幅に手間と時間を省き時間のロスを短縮し合理性を追求した。
【図面の簡単な説明】
【０００７】
【図１】全体図
【図２】貯蔵タンク液体とごみを分別回収
【考案を実施するための形態】
【０００８】
家電掃除機に吸引管路の中心部分のジョイント箇所に貯蔵タンク器具を投入セットしスイッチを入れる。
【実施例】
【０００９】
図１は、全体図
図２は、簡易バキューム器具の本体Hで、一次側Iから吸収した空気を貯蔵タンク５に投入し遺物や粉塵と液体を分類し二次側２からごみを家電掃除機に投入する。貯蔵タンクに液体と微妙なごみを貯蔵し上部の空間で、チリを二次側２から吸引ホースKに誘導する。湾曲状の部分３に突起部分９と一方方向の弁１０を備え、液体の逆流を抑え、比重、水１に対して粉塵チリ０．３以上の為、重いのは、貯蔵タンクの体積により、蓄積し吸引力と貯蔵タンク５体積内の比率１：２，５以内循環機能する。
貯蔵タンク５上部は、ねじとゴムパッキン４により取り外し可能であり、下部部分６に内側と外部にねじ山を形成し止め栓を取り付け気圧と体積により二次効果を生じる用ペットボトルを後から取り付け可能にし、簡易的に体積を増す事ができる。
【符号の説明】
【００１０】
１    一次側吸入口
２    二次側吸入口
３    三日月形突起部分と９０度開閉弁１０と同じ個所
４    上部一体化した円盤状ふたにパッキン外部、ねじ山
５    貯蔵タンク本体と上部内、ねじ山、下部に排水又はペットボトルの取り付けねじ山
６    排水口
７    ペットボトルのふた、止水栓
８    取手
９    膨らみ部分
１０  逆流弁  
A    本体側の円盤状のふた 外めじ山
B    C水分の目安
H    家電掃除機本体
I    吸込側管路
K    吸込みホース
【図１】
0003202303.tif 000003
【図２】
0003202303.tif 000004